(57)【特許請求の範囲】
【請求項１】
所定間隔を置いてバケット５を複数設けたベルト４を、上下方向に長いケース１の上下に設けたプーリに掛け回して構成したものにおいて、前記プーリのうち下部プーリ２の上方に設けられ下部プーリ２の軸心方向に傾斜する山型状の屋根板部１１と、前記下部プーリ２の側部を包囲する縦板部１２とにより構成する噛込み防止装置１０を設け、前記屋根板部１１および縦板部１２の回転下降側１５側は弾性部材１６により形成し、該弾性部材１６を回転下降側１５の前記ベルト４に接触するようにし、前記屋根板部１１と前記縦板部１２は一体的に形成し、前記ベルト４の回転上昇側１８の屋根板部１１に平板状の支持板部２０の下部を固定し、前記ケース１の側板６には前記支持板部２０の左右側を上方から挿入しうる挿入溝２２を設け、前記支持板部２０には前記ケース１側に係合して噛込み防止装置１０を所定位置に位置させる係合部２６を設けたバケットコンベア。
【請求項２】
請求項１において、前記縦板部１２は、その下縁を前記下部プーリ２の側面形状に合わせた円弧状に形成すると共に、前記下部プーリ２の取付軸７に上方から挿入する切欠挿入溝１４を形成したバケットコンベア。
【請求項３】
請求項１または請求項２において、前記下部プーリ２の取付軸７の上方の前記左右の縦板部１２に上縁側を固定し下方に至るに従い外側に位置するように傾斜させた切欠挿入溝進入防止カバー１７を設けたバケットコンベア。
【発明の詳細な説明】
【０００１】
【産業上の利用分野】
本発明は、バケットコンベアに係るものである。
【０００２】
【従来技術】
従来公知の特公昭６２−２４３２４号公報には、所定間隔を置いてバケットを複数設けたベルトを、上下方向に長いケースの上下に設けたプーリに掛け回して構成について記載されている。
また、公知公報の存在は不知であるが、下部プーリの上方に山型状の部材を設けた構成、あるいは、下部プーリの側部を包囲する包囲板を設けた構成は公知である。
【０００３】
【発明が解決しようとする課題】
前記公知例のうち公報記載のものは、下部プーリを全く包囲していないので、下降するベルトとプーリの間に穀粒が侵入して破砕されるという課題がある。
また、公知例のうち下部プーリの上方に山型状の部材を設けた構成のものは、側方から穀粒が侵入して破砕される。あるいは、下部プーリの側部を包囲する包囲板を設けた構成は上方から落下する穀粒が侵入して破砕される。
また、下部プーリの上側および側部を包囲する構成では、構造が複雑となって、取り付けが面倒である。
本発明は、穀粒の破砕を防止したものである。
【０００４】
【発明の目的】
穀粒の破砕を防止、組立の容易化、着脱の容易化、メンテナンスの容易化。
【０００５】
【課題を解決するための手段】
本発明は、所定間隔を置いてバケット５を複数設けたベルト４を、上下方向に長いケース１の上下に設けたプーリに掛け回して構成したものにおいて、前記プーリのうち下部プーリ２の上方に設けられ下部プーリ２の軸心方向に傾斜する山型状の屋根板部１１と、前記下部プーリ２の側部を包囲する縦板部１２とにより構成する噛込み防止装置１０を設け、前記屋根板部１１および縦板部１２の回転下降側１５側は弾性部材１６により形成し、該弾性部材１６を回転下降側１５の前記ベルト４に接触するようにし、前記屋根板部１１と前記縦板部１２は一体的に形成し、前記ベルト４の回転上昇側１８の屋根板部１１に平板状の支持板部２０の下部を固定し、前記ケース１の側板６には前記支持板部２０の左右側を上方から挿入しうる挿入溝２２を設け、前記支持板部２０には前記ケース１側に係合して噛込み防止装置１０を所定位置に位置させる係合部２６を設けたバケットコンベアとしたものである。
本発明は、前記縦板部１２は、その下縁を前記下部プーリ２の側面形状に合わせた円弧状に形成すると共に、前記下部プーリ２の取付軸７に上方から挿入する切欠挿入溝１４を形成したバケットコンベアとしたものである。
本発明は、前記下部プーリ２の取付軸７の上方の前記左右の縦板部１２に上縁側を固定し下方に至るに従い外側に位置するように傾斜させた切欠挿入溝進入防止カバー１７を設けたバケットコンベアとしたものである。
【０００６】
【実施例】
本発明の実施例を図面により説明すると、１はバケットコンベアのケース、２はケース１内の下方位置に設けた下部プーリ、４は上部プーリ（図示省略）と下部プーリ２に掛け回したベルト、５はベルト４に所定間隔を置いて設けたバケットである。
前記下部プーリ２は、前記ケース１の側板６に取付軸７により軸装する。
【０００７】
しかして、前記下部プーリ２の上方で、前記ベルト４の上昇側ベルト４Ａと下降側ベルト４Ｂとの間には、噛込み防止装置１０を設ける。噛込み防止装置１０は、前記取付軸７の軸方向に低くなるように傾斜する山型の屋根板部１１と、屋根板部１１に続いて略垂直で左右一対の縦板部１２を有する。屋根板部１１の両側および縦板部１２は前記ベルト４の左右両縁より外方に位置させる。前記縦板部１２の下縁は前記下部プーリ２の側面形状に合わせて円弧状に形成し、縦板部１２の下部中央には縦の切欠挿入溝１４を形成し、切欠挿入溝１４を前記取付軸７に上方から挿入させて前記下部プーリ２の側面に縦板部１２を位置させる。
【０００８】
また、前記屋根板部１１および縦板部１２の後側（前記ベルト４の回転上昇側１８）は、金属板により形成するが、前側（前記ベルト４の回転下降側１５）は弾性部材１６により形成し、弾性部材１６をベルト４の下降側ベルト４Ｂの内面側に軽く接触させる。即ち、ベルト４が損傷しない範囲で接触させることにより、下降側ベルト４Ｂと屋根板部１１との間の隙間をゼロまたは可及的に小さくする。
【０００９】
しかして、前記左右の縦板部１２の側面には、切欠挿入溝進入防止カバー１７を設ける。切欠挿入溝進入防止カバー１７は平板状に形成し、切欠挿入溝進入防止カバー１７の上縁側を前記取付軸７の上方の縦板部１２に固定し、下方に至るに従い外側に位置するように傾斜させて設け、切欠挿入溝進入防止カバー１７の下縁は前記取付軸７の上面に可及的に近接させる。
【００１０】
以上のように、噛込み防止装置１０は、屋根板部１１と縦板部１２と切欠挿入溝進入防止カバー１７を有する。前記屋根部材１１の後側には支持板２０の下部を固定し、支持板２０により噛込み防止装置１０をケース１に取付ける。
【００１１】
前記支持板２０は左右方向の平板に形成し、所定の高さを有する。実施例では、前記ケース１を上下に複数分割形成し、ケース１の下部を構成する下部ケーシング２１の左右側板６に挿入溝２２を形成するようにガイドレール部材２３を設け、前記支持板２０は上方から挿入溝２２に挿入する。
【００１２】
したがって、前記支持板２０は下部ケーシング２１の左右幅略一杯に形成し、前記屋根板部１１および縦板部１２は若干狭く形成して、支持板２０の側縁が挿入溝２２内を移動するようにする。
【００１３】
また、支持板２０の上部は屈曲させて係合部２６を形成し、係合部２６をガイドレール部材２３の上部に係合させる。係合部２６は、前記縦板部１２の切欠挿入溝１４の上部内周面が前記取付軸７の上方に所定の間隙を有して位置するように形成する。
２７は供給口、２８は下部ケーシング２１の底板である。
【００１４】
【作用】
次に作用を述べる。
供給口２７から穀粒を張り込むと、穀粒は回転移動するバケット５により掬われて上昇し、上部で放擲されて排出口より排出される。
この場合、上昇して揚穀するバケット５から穀粒が落下するが、下部プーリ２の上方には屋根板部１１と縦板部１２を有する噛込み防止装置１０が設けられているから、落下する穀粒は屋根板部１１により左右側に振り分けられ、下部ケーシング２１の側板６と屋根板部１１の間を落下し、下部プーリ２とベルト４との間に挟まれて破砕されることは防止される。
【００１５】
即ち、下降側ベルト４Ｂの内側と屋根板部１１の間より穀粒が進入することがあるが、前記屋根板部１１の前側（回転下降側１５）は弾性部材１６により構成しているから、ベルト４が損傷しない範囲で弾性部材１６を接触させることにより、下降側ベルト４Ｂと屋根板部１１との間の隙間をゼロまたは可及的に小さくでき、ベルト４の裏側と下部プーリ２との間に穀粒が進入するのを防止出来る。
【００１６】
また、噛込み防止装置１０の屋根板部１１には縦板部１２を連設し、縦板部１２の下縁は下部プーリ２の側面形状に合わせて円弧状に形成しているから、縦板部１２の上部より下部プーリ２の側面を包囲することになり、バケット５により掬い上げたときの飛散穀粒がベルト４の裏側と下部プーリ２との間に穀粒が進入するのを防止する。
【００１７】
しかして、落下する穀粒の極一部は下部ケーシング２１の側板６の内面あるいは縦板部１２の側面に衝突して斜めに落下するものがあり、これらが縦板部１２の切欠挿入溝１４からベルト４と下部プーリ２の間に入いると破砕されることになるが、本発明では、上縁側を取付軸７の上方の縦板部１２に固定し、下方に至るに従い外側に位置するように傾斜させた切欠挿入溝進入防止カバー１７を設けているから、斜めに落下するような穀粒も一旦切欠挿入溝進入防止カバー１７上に落下し、切欠挿入溝進入防止カバー１７により外側に誘導される。
したがって、縦板部１２の切欠挿入溝１４から穀粒が進入するのを防止する。
【００１８】
この場合、切欠挿入溝進入防止カバー１７の下縁は、取付軸７の上面に可及的に近接させているから、一層進入を防止する。
また、切欠挿入溝進入防止カバー１７の下縁は、下部ケーシング２１の側板６の内面に穀粒が落下しうる隙間を有して可及的に近接させているから、穀粒はこの隙間より下方に落下して一層進入を防止する。
【００１９】
しかして、屋根板部１１の後側には、下部ケーシング２１の左右幅略一杯に形成した左右方向の平板状の支持板２０の下部を固定し、下部ケーシング２１の左右側板６には縦の挿入溝２２を形成するように前後一対のガイドレール部材２３を設けているから、支持板２０に設けた噛込み防止装置１０は、支持板２０を上方から挿入溝２２に挿入することにより下部ケーシング２１に装着できる。したがって、脱着が頗る容易であり、メンテナンスを容易にする。
【００２０】
この場合、支持板２０の上部は屈曲させて係合部２６に形成し、係合部２６と縦板部１２の切欠挿入溝１４の上部内周面との関係は、切欠挿入溝１４の上部内周面が取付軸７の上方に所定の間隙を有して位置するようにしているから、係合部２６をガイドレール部材２３の上部に係合させるだけで、噛込み防止装置１０を所定の位置に位置させる。
【００２１】
また、支持板２０の左右側を挿入溝２２に挿入することにより、支持板２０の左右側は、下部ケーシング２１の側板６により左右側から固定されるだけでなく、ガイドレール部材２３により前後にも固定され、ガイドレール部材２３は縦に長く形成しているから、一層、支持板２０を支持する。
【００２２】
また、噛込み防止装置１０の縦板部１２の切欠挿入溝１４が取付軸７に係合しているから、この点でも噛込み防止装置１０はしっかりと支持され、振動を発生させない。
【００２３】
【効果】
本発明は、所定間隔を置いてバケット５を複数設けたベルト４を、上下方向に長いケース１の上下に設けたプーリに掛け回して構成したものにおいて、前記プーリのうち下部プーリ２の上方に設けられ下部プーリ２の軸心方向に傾斜する山型状の屋根板部１１と、前記下部プーリ２の側部を包囲する縦板部１２とにより構成する噛込み防止装置１０を設け、前記屋根板部１１および縦板部１２の回転下降側１５側は弾性部材１６により形成し、該弾性部材１６を回転下降側１５の前記ベルト４に接触するようにし、前記屋根板部１１と前記縦板部１２は一体的に形成し、前記ベルト４の回転上昇側１８の屋根板部１１に平板状の支持板部２０の下部を固定し、前記ケース１の側板６には前記支持板部２０の左右側を上方から挿入しうる挿入溝２２を設け、前記支持板部２０には前記ケース１側に係合して噛込み防止装置１０を所定位置に位置させる係合部２６を設けたバケットコンベアとしたものであるから、噛込み防止装置１０の着脱を容易にする。
本発明は、前記縦板部１２は、その下縁を前記下部プーリ２の側面形状に合わせた円弧状に形成すると共に、前記下部プーリ２の取付軸７に上方から挿入する切欠挿入溝１４を形成したバケットコンベアとしたものであるから、下部プーリ２の軸装部分を分解することなく下部プーリ２の側面を包囲し、穀粒の破砕を防止する。
本発明は、前記下部プーリ２の取付軸７の上方の前記左右の縦板部１２に上縁側を固定し下方に至るに従い外側に位置するように傾斜させた切欠挿入溝進入防止カバー１７を設けたバケットコンベアとしたものであるから、穀粒の破砕を一層防止する。
【図面の簡単な説明】
【図１】  縦断側面図。
【図２】  縦断正面図。
【図３】  横断面図。
【図４】  要部斜視図。
【図５】  噛込み防止装置の装着状態斜視図。
【符号の説明】
１…ケース、２…下部プーリ、４…ベルト、５…バケット、６…側板、７…取付軸、１０…噛込み防止装置、１１…屋根板部、１２…縦板部、１４…切欠挿入溝、１５…回転下降側、１６…弾性部材、１７…切欠挿入溝進入防止カバー、１８…回転上昇側、２０…支持板、２１…下部ケーシング、２２…挿入溝、２３…ガイドレール部材、２６…係合部。
【図１】
0003691737.tif 000002
【図２】
0003691737.tif 000003
【図３】
0003691737.tif 000004
【図４】
0003691737.tif 000005
【図５】
0003691737.tif 000006